(57)【特許請求の範囲】
【請求項１】
本体と、
可動体と、
前記可動体を前記本体に対して相対的に回動自在に連結する回動軸部と、
前記本体から前記可動体にかけて配線される電気束線と、
前記本体に設けられ、前記電気束線を拘束するための第１拘束部と、
前記可動体に設けられ、前記電気束線を拘束するための第２拘束部と、を有し、
前記第１拘束部または前記第２拘束部のいずれか一方は、前記回動軸部の軸中心付近に設けられ、前記電気束線を前記回動軸部の前記軸中心の延長上に拘束し、前記第１拘束部と前記第２拘束部との間は前記電気束線で略直線に結ばれ、
前記第１拘束部または前記第２拘束部の前記いずれか一方に拘束された前記電気束線の部分は、前記可動体が回動するときの回動中心に位置することを特徴とする操作子装置。
【請求項２】
前記第１の拘束部及び前記第２の拘束部は、それぞれ前記電気束線の途中部分を拘束し、前記電気束線の一端は、前記本体に設けられた制御基板に接続されると共に、前記電気束線の他端は、前記可動体に設けられた電気部品に接続されたことを特徴とする請求項１記載の操作子装置。
【請求項３】
請求項１または２に記載の操作子装置を楽音パラメータ制御用装置として備えることを特徴とする電子楽器。
【発明の詳細な説明】
【技術分野】
【０００１】
本発明は、相対的に回動する要素間に電気束線が配線される操作子装置及び電子楽器に関する。
【背景技術】
【０００２】
従来、電子楽器の楽音制御用等に用いられる操作子装置において、操作によりホイール等の可動体がフレーム等の固定体に対して回動するものが知られている。
【０００３】
例えば、下記特許文献１の装置では、フレームに対してホイール本体が回動し、その回動量を検出して楽音パラメータの制御に用いている。この種の代表的な電気配線について図３を用いて説明する。
【０００４】
図３は、従来の操作子装置における電気配線の態様を示す模式図である。図３（ａ）、（ｂ）は、それぞれ操作子装置の側面図、正面図を示している。
【０００５】
この操作子装置は、固定的な固定体９１に対して可動体９２が回動軸９３で回動自在に連結される。可動体９２は、不図示の操作子の操作により回動軸９３の軸中心９７を中心に回動する。可動体９２には電気部品であるＬＥＤ９６が設けられる。ＬＥＤ９６からは、電気束線９４が延びている。電気束線９４は、固定体９１の拘束部９５で拘束され、その先端は固定体９１の不図示の制御基板に接続される。
【先行技術文献】
【特許文献】
【０００６】
【特許文献１】特許第２９２１４８３号公報
【発明の概要】
【発明が解決しようとする課題】
【０００７】
しかしながら、図３に示す従来の操作子装置では、可動体９２と一体にＬＥＤ９６も回動する一方、拘束部９５は固定されていて可動しない。そのため、電気束線９４のうち、ＬＥＤ９６に接続されている部分と拘束部９５に拘束されている部分との距離が、可動体９２の回動運動によって大きく変化する。
【０００８】
そこで、上記両部分同士が最大距離となっても引っ張り状態になる等の問題が生じないように十分な長さを保って配線するが、その一方、上記両部分同士が最短距離となったときには大きく弛むことになる。そのため、電気束線９４が他の部品と接触しないようにするべく、十分なスペースを確保する必要があり、省スペースの観点で問題がある。
【０００９】
本発明は上記従来技術の問題を解決するためになされたものであり、その目的は、電気束線の弛みや引っ張り状態を生じにくくすることができる操作子装置及び電子楽器を提供することにある。
【課題を解決するための手段】
【００１０】
上記目的を達成するために本発明の請求項１の操作子装置は、本体（１０）と、可動体（２０）と、前記可動体を前記本体に対して相対的に回動自在に連結する回動軸部（１１）と、前記本体から前記可動体にかけて配線される電気束線（１３）と、前記本体に設けられ、前記電気束線を拘束するための第１拘束部と、前記可動体に設けられ、前記電気束線を拘束するための第２拘束部と、を有し、前記第１拘束部または前記第２拘束部のいずれか一方は、前記回動軸部の軸中心付近に設けられ、前記電気束線を前記回動軸部の前記軸中心の延長上に拘束し、前記第１拘束部と前記第２拘束部とは前記電気束線で略直線に結ばれ、前記第１拘束部または前記第２拘束部の前記いずれか一方に拘束された前記電気束線の部分は、前記可動体が回動するとき前記回動軸部の前記軸中心の位置に位置することを特徴とする。
【００１１】
好ましくは、前記第１拘束部及び前記第２拘束部は、それぞれ前記電気束線の途中部分（１３ｃ、１３ｄ）を拘束し、前記電気束線の一端（１３ａ）は、前記本体に設けられた制御基板（１４）に接続されると共に、前記電気束線の他端（１３ｂ）は、前記可動体に設けられた電気部品（２３）に接続される。
【００１３】
好ましくは、電子楽器は、請求項１または２に記載の操作子装置を楽音パラメータ制御用装置として備えることを特徴とする。
【００１４】
なお、上記括弧内の符号は例示である。
【発明の効果】
【００１５】
本発明によれば、電気束線の弛みや引っ張り状態を生じにくくすることができる。
【図面の簡単な説明】
【００１６】
【図１】本発明の第１の実施の形態に係る操作子装置の模式的な側面図、正面図である。
【図２】本発明の第２の実施の形態に係る操作子装置の模式的な正面図、側面図、第３の実施の形態に係る操作子装置の模式的な側面図、正面図である。
【図３】従来の操作子装置における電気配線の態様を示す模式図である。
【発明を実施するための形態】
【００１７】
以下、本発明の実施の形態を図面を参照して説明する。
【００１８】
（第１の実施の形態）
図１（ａ）、（ｂ）は、本発明の第１の実施の形態に係る操作子装置の模式的な側面図、正面図である。
【００１９】
この操作子装置は、例えばホイール操作子として構成され、用途としては電子楽器（鍵盤楽器等）の楽音パラメータ制御用装置としての入力装置等が適している。制御対象としては、例えば音高、音色、音量のほか、ビブラート、リバーブ等の各種効果に関する楽音パラメータが考えられる。ただし、楽音制御に限定されるものではなく、楽器以外の電気機器（ゲーム装置等）にも適用可能である。
【００２０】
この操作子装置は、本体である固定体１０と、固定体１０に対して相対的に回動自在な可動体２０とを有する。固定体１０は、例えば、楽器のフレーム自身やフレームに固定された要素である。
【００２１】
固定体１０には回動軸部１１が設けられ、回動軸部１１に可動体２０が回動自在に軸支されている。これにより、回動軸部１１の軸中心ＡＸを中心として、可動体２０が固定体１０に対してＸ方向（図１（ｂ））に回動する。可動体２０はそれ自身が直接操作される操作子として機能するものでもよいが、可動体２０に突設される操作子の操作により回動する構成であってもよい。回動軸部１１は、固定体１０と可動体２０とを回動自在に連結するものであればよく、いずれの側に固定的に設けられるかは問わない。
【００２２】
固定体１０には、制御基板１４（図１（ｂ））が配設されている。固定体１０には、軸中心ＡＸ付近に第１の拘束部１２が設けられている。
【００２３】
可動体２０には、電気部品の一例として照明デバイスであるＬＥＤ２３が上部に配設される。可動体２０の下部は延設部２１となっており、延設部２１の先端に第２の拘束部２２（別の拘束部）が設けられている。
【００２４】
リード線材の束である電気束線１３が、可動体２０から固定体１０にかけて配線され、ＬＥＤ２３を制御基板１４に電気的に接続している。また、不図示のロータリボリュームが可動体２０または固定体１０に配設され、両者の相対的な回動量を検出する。検出された回動量は制御基板１４に供給され、楽音制御に用いられる。
【００２５】
電気束線１３は、一端１３ａが制御基板１４に接続され、他端１３ｂがＬＥＤ２３に接続される。そして、途中部分が第１の拘束部１２、第２の拘束部２２により拘束されている。ここで第１の拘束部１２は、電気束線１３を、回動軸部１１の軸中心ＡＸの延長上に拘束する。すなわち、第１の拘束部１２に拘束されることにより、電気束線１３は軸中心ＡＸの延長線と交わる。電気束線１３の、第１の拘束部１２により拘束された部分１３ｃと第２の拘束部２２により拘束された部分１３ｄとの間は拘束されておらず、フリーとなっている。
【００２６】
可動体２０がＸ方向に回動すると、第２の拘束部２２も一体となって回動するので、第２の拘束部２２に拘束された電気束線１３の部分１３ｄも一緒に回動変位する。しかし、部分１３ｃは軸中心ＡＸの延長上に位置するため、撓んで位置が不定となるようなことがない。そのため、２箇所の拘束部分である部分１３ｃと部分１３ｄとが、回動中心と円弧軌跡との関係になるので、両者の距離は可動体２０の回動全行程においてほとんど変化することがない。そのため、電気束線１３における部分１３ｃと部分１３ｄとの間に余計な弛みを設けておく必要がなく、図１に示すようにほぼ直線的に結んでも可動上支障がない。
【００２７】
本実施の形態によれば、電気束線１３が、第１の拘束部１２により回動軸部１１の軸中心ＡＸの延長上に拘束されるので、可動体２０の回動全行程において電気束線１３の弛みや引っ張り状態を生じにくくすることができる。電気束線１３の、部分１３ｃと部分１３ｄとの間の部分がほとんど可動しないので、他の部品との接触回避のための過剰なスペースを確保する必要がなく、省スペースにも繋がる。
【００２８】
ところで、本実施の形態において、制御基板１４を軸中心ＡＸの延長上に配置し、第１の拘束部１２に代えて電気束線１３の一端１３ａを制御基板１４に接続することをもって、一端１３ａが固定体１０の側において軸中心ＡＸの延長上に拘束される構成としてもよい。また、第２の拘束部２２の位置にＬＥＤ２３等の電気部品を配置し、第２の拘束部２２に代えてこの電気部品に電気束線１３の他端１３ｂを接続することをもって、他端１３ｂが可動体２０の側に拘束される構成としてもよい。
【００２９】
（第２の実施の形態）
第１の実施の形態では、電気束線１３を軸中心ＡＸの延長上に拘束する拘束部を固定体１０に設けたが、本発明の第２の実施の形態では可動体２０に設ける。
【００３０】
図２（ａ）、（ｂ）は、本発明の第２の実施の形態に係る操作子装置の模式的な正面図、側面図である。図２（ａ）、（ｂ）において、第１の実施の形態のものと同様の構成要素には形状の異同を問わず同じ符号が付してある。
【００３１】
可動体２０には、軸中心ＡＸ付近に第２の拘束部２４が設けられている。固定体１０の下部は延設部１６となっており、延設部１６の先端に第１の拘束部１５（別の拘束部）が設けられている。
【００３２】
電気束線１３は、途中部分が第２の拘束部２４、第１の拘束部１５により拘束されている。ここで第２の拘束部２４は、電気束線１３を、回動軸部１１の軸中心ＡＸの延長上に拘束する。電気束線１３の、第１の拘束部１５により拘束される部分１３ｃと第２の拘束部２４により拘束された部分１３ｄとの間は拘束されておらず、フリーとなっている。その他の構成は第１の実施の形態と同様である。
【００３３】
可動体２０がＸ方向に回動すると、第２の拘束部２４により拘束された部分１３ｄは軸中心ＡＸの延長上に位置するため、回動はするがその位置はほとんど変化しない。第１の拘束部１５に拘束された電気束線１３の部分１３ｃの位置は不変である。よって、相対的に見れば、部分１３ｄと部分１３ｃとが回動中心と円弧軌跡との関係になり、両者の距離は可動体２０の回動全行程においてほとんど変化することがない。
【００３４】
本実施の形態によれば、可動体２０の回動全行程において電気束線１３の弛みや引っ張り状態を生じにくくすることに関し、第１の実施の形態と同様の効果を奏することができる。
【００３５】
ところで、本実施の形態において、可動体２０においてＬＥＤ２３等の電気部品を軸中心ＡＸの延長上に配置し、第２の拘束部２４に代えて電気束線１３の他端１３ｂをこの電気部品に接続することをもって、他端１３ｂが可動体２０の側において軸中心ＡＸの延長上に拘束される構成としてもよい。また、第１の拘束部１５の位置に制御基板１４を配置し、第１の拘束部１５に代えて電気束線１３の一端１３ａをこの制御基板１４に接続することをもって、一端１３ａが固定体１０の側に拘束される構成としてもよい。
【００３６】
（第３の実施の形態）
第１、第２の実施の形態では、電気束線１３を軸中心ＡＸの延長上の位置を通過させるために、拘束部を設けて拘束する構成であった。しかし、電気束線１３を軸中心ＡＸの延長上の位置を通るようにするためには、専用の拘束部を設けることは必須でなく、本発明の第３の実施の形態では、回動軸部１１の中を通す。
【００３７】
図２（ｃ）、（ｄ）は、本発明の第３の実施の形態に係る操作子装置の模式的な側面図、正面図である。図２（ｃ）、（ｄ）において、第１の実施の形態のものと同様の構成要素には形状の異同を問わず同じ符号が付してある。
【００３８】
図２（ｃ）に示すように、回動軸部１１には、軸中心ＡＸを軸芯とする中空穴１１ａが貫通して形成される。固定体１０には、中空穴１１ａと同心の中空穴１７が中空穴１１ａに連通し貫通して形成される。電気束線１３は、可動体２０のＬＥＤ２３から、中空穴１１ａ及び中空穴１７の中を通って固定体１０の制御基板１４に接続されている。その他の構成は第１の実施の形態と同様である。
【００３９】
この構成によれば、電気束線１３のうち、中空穴１１ａ及び中空穴１７に挿通されている部分１３ｅが軸中心ＡＸを通り、軸中心ＡＸの線上に拘束されていることになる。可動体２０がＸ方向に回動すると、一端１３ａも一体となって回動変位する。しかし、中空穴１１ａ及び中空穴１７に挿通されている部分１３ｅは軸中心ＡＸの延長上に位置するためほとんど変位しない。なお、部分１３ｅは、中空穴１１ａに対して軸中心ＡＸの軸線方向の位置がずれないように何らかの係止手段で位置決めしてもよい。
【００４０】
本実施の形態によれば、可動体２０の回動全行程において電気束線１３の弛みや引っ張り状態を生じにくくすることに関し、第１の実施の形態と同様の効果を奏することができる。特に、電気束線１３を軸中心ＡＸの位置に確実に拘束することができる。
【００４１】
なお、電気束線１３が通る領域は中空穴の形に限られず、溝等の挿通部であってもよい。
【００４２】
上記した各実施の形態において、電気部品としてＬＥＤ２３を例示したが、電気束線１３が接続される部品であればよく、ＬＥＤ２３に限るものではない。
【００４３】
また、上記した各実施の形態において、固定体１０と可動体２０とは相対的に回動すればよく、固定体１０が別の要素に対して回動可能となっていてもよい。さらに、電気束線１３の配線の態様に関し、固定体１０と可動体２０との関係を逆にしてもよい。
【００４４】
この操作子装置は、ねじりコイルバネ等により固定体１０に対して可動体２０が所定の中立位置に復帰するよう構成されたものでもよいし、そのような復帰機構を有しないホイールであってもよい。ホイール以外の操作子装置でもよい。
【符号の説明】
【００４５】
１０  固定体（本体）、  １１  回動軸部、  １１ａ  中空穴（挿通部）、  １２  第１の拘束部、  １３  電気束線、  １３ａ  一端、  １３ｂ  他端、  １３ｃ、１３ｄ  部分、  １４  制御基板、  １５  第１の拘束部（別の拘束部）、  ２０  可動体、  ２２  第２の拘束部（別の拘束部）、  ２４  第２の拘束部、  ２３  ＬＥＤ（電気部品）、  ＡＸ  軸中心
【図１】
0005786536.tif 000002
【図２】
0005786536.tif 000003
【図３】
0005786536.tif 000004